【手続補正書】
【提出日】平成19年1月30日(2007.1.30)
【手続補正１】
【補正対象書類名】明細書
【補正対象項目名】特許請求の範囲
【補正方法】変更
【補正の内容】
【特許請求の範囲】
【請求項１】  内部に有するメモリに記憶された複数のトラックについて、著作権情報が付加された複数の前記トラックから構成される楽音データを生成する生成手段と、
前記楽音データを前記トラックごとに配信することが可能な他の情報処理装置に前記楽音データを登録するために必要な情報の設定を制御する情報設定制御手段と、
前記生成手段により生成された前記楽音データおよび前記情報設定制御手段により設定された前記情報の、ネットワークを介した前記他の情報処理装置への送信を制御する送信制御手段と
を備えることを特徴とする情報処理装置。
【請求項２】  前記メモリに記憶された複数の前記トラックには、前記著作権情報が付加された第１のトラックと、新たに生成され、前記著作権情報が付加されていない第２のトラックとが含まれており、
前記生成手段は、前記第２のトラックに前記著作権情報を付加して、前記楽音データを生成する
ことを特徴とする請求項１に記載の情報処理装置。
【請求項３】  内部に有するメモリに記憶された複数のトラックについて、著作権情報が付加された複数の前記トラックから構成される楽音データを生成する生成ステップと、
前記楽音データを前記トラックごとに配信することが可能な他の情報処理装置に前記楽音データを登録するために必要な情報の設定を制御する情報設定制御ステップと、
前記生成ステップの処理により生成された前記楽音データおよび前記情報設定制御ステップの処理により設定された前記情報の、ネットワークを介した前記他の情報処理装置への送信を制御する送信制御ステップと
を含むことを特徴とする情報処理方法。
【請求項４】  内部に有するメモリに記憶された複数のトラックについて、著作権情報が付加された複数の前記トラックから構成される楽音データを生成する生成ステップと、
前記楽音データを前記トラックごとに配信することが可能な他の情報処理装置に前記楽音データを登録するために必要な情報の設定を制御する情報設定制御ステップと、
前記生成ステップの処理によりに生成された前記楽音データおよび前記情報設定制御ステップの処理により設定された前記情報の、ネットワークを介した前記他の情報処理装置への送信を制御する送信制御ステップと
を含むことを特徴とする処理をコンピュータに実行させるための、コンピュータが読み取り可能なプログラムが記録されている記録媒体。
【請求項５】  内部に有するメモリに記憶された複数のトラックについて、著作権情報が付加された複数の前記トラックから構成される楽音データを生成する生成手段と、
前記楽音データを前記トラックごとに配信することが可能であり、かつ、前記楽音データの登録および配信を、予め認証された所定の利用者しか行うことができないように制御された他の情報処理装置に対して前記楽音データを登録するために必要な情報の設定を制御する情報設定制御手段と、
前記生成手段により生成された前記楽音データおよび前記情報設定制御手段により設定された前記情報の、ネットワークを介した前記他の情報処理装置への送信を制御する送信制御手段と
を備えることを特徴とする情報処理装置。
【請求項６】  前記メモリに記憶された複数の前記トラックには、前記著作権情報が付加された第１のトラックと、新たに生成され、前記著作権情報が付加されていない第２のトラックとが含まれており、
前記生成手段は、前記第２のトラックに前記著作権情報を付加して、前記楽音データを生成する
ことを特徴とする請求項５に記載の情報処理装置。
【請求項７】  内部に有するメモリに記憶された複数のトラックについて、著作権情報が付加された複数の前記トラックから構成される楽音データを生成する生成ステップと、
前記楽音データを前記トラックごとに配信することが可能であり、かつ、前記楽音データの登録および配信を、予め認証された所定の利用者しか行うことができないように制御された他の情報処理装置に対して前記楽音データを登録するために必要な情報の設定を制御する情報設定制御ステップと、
前記生成ステップの処理により生成された前記楽音データおよび前記情報設定制御ステップの処理により設定された前記情報の、ネットワークを介した前記他の情報処理装置への送信を制御する送信制御ステップと
を含むことを特徴とする情報処理方法。
【請求項８】  内部に有するメモリに記憶された複数のトラックについて、著作権情報が付加された複数の前記トラックから構成される楽音データを生成する生成ステップと、
前記楽音データを前記トラックごとに配信することが可能であり、かつ、前記楽音データの登録および配信を、予め認証された所定の利用者しか行うことができないように制御された他の情報処理装置に対して前記楽音データを登録するために必要な情報の設定を制御する情報設定制御ステップと、
前記生成ステップの処理によりに生成された前記楽音データおよび前記情報設定制御ステップの処理により設定された前記情報の、ネットワークを介した前記他の情報処理装置への送信を制御する送信制御ステップと
を含むことを特徴とする処理をコンピュータに実行させるための、コンピュータが読み取り可能なプログラムが記録されている記録媒体。
【手続補正２】
【補正対象書類名】明細書
【補正対象項目名】００１２
【補正方法】変更
【補正の内容】
【００１２】
【課題を解決するための手段】
本発明の第１の情報処理装置は、内部に有するメモリに記憶された複数のトラックについて、著作権情報が付加された複数のトラックから構成される楽音データを生成する生成手段と、楽音データをトラックごとに配信することが可能な他の情報処理装置に楽音データを登録するために必要な情報の設定を制御する情報設定制御手段と、生成手段により生成された楽音データおよび情報設定制御手段により設定された情報の、ネットワークを介した他の情報処理装置への送信を制御する送信制御手段とを備えることを特徴とする。
メモリに記憶された複数のトラックには、著作権情報が付加された第１のトラックと、新たに生成され、著作権情報が付加されていない第２のトラックとが含まれるようにすることができ、生成手段には、第２のトラックに著作権情報を付加して、楽音データを生成させるようにすることができる。
【手続補正３】
【補正対象書類名】明細書
【補正対象項目名】００１３
【補正方法】変更
【補正の内容】
【００１３】
本発明の第１の情報処理方法は、内部に有するメモリに記憶された複数のトラックについて、著作権情報が付加された複数のトラックから構成される楽音データを生成する生成ステップと、楽音データをトラックごとに配信することが可能な他の情報処理装置に楽音データを登録するために必要な情報の設定を制御する情報設定制御ステップと、生成ステップの処理により生成された楽音データおよび情報設定制御ステップの処理により設定された情報の、ネットワークを介した他の情報処理装置への送信を制御する送信制御ステップとを含むことを特徴とする。
【手続補正４】
【補正対象書類名】明細書
【補正対象項目名】００１４
【補正方法】変更
【補正の内容】
【００１４】
本発明の第１の記録媒体に記録されているプログラムは、内部に有するメモリに記憶された複数のトラックについて、著作権情報が付加された複数のトラックから構成される楽音データを生成する生成ステップと、楽音データをトラックごとに配信することが可能な他の情報処理装置に楽音データを登録するために必要な情報の設定を制御する情報設定制御ステップと、生成ステップの処理によりに生成された楽音データおよび情報設定制御ステップの処理により設定された情報の、ネットワークを介した他の情報処理装置への送信を制御する送信制御ステップとを含むことを特徴とする処理をコンピュータに実行させる。
【手続補正５】
【補正対象書類名】明細書
【補正対象項目名】００１５
【補正方法】変更
【補正の内容】
【００１５】
本発明の第２の情報処理装置は、内部に有するメモリに記憶された複数のトラックについて、著作権情報が付加された複数のトラックから構成される楽音データを生成する生成手段と、楽音データをトラックごとに配信することが可能であり、かつ、楽音データの登録および配信を、予め認証された所定の利用者しか行うことができないように制御された他の情報処理装置に対して楽音データを登録するために必要な情報の設定を制御する情報設定制御手段と、生成手段により生成された楽音データおよび情報設定制御手段により設定された情報の、ネットワークを介した他の情報処理装置への送信を制御する送信制御手段とを備えることを特徴とする。
メモリに記憶された複数のトラックには、著作権情報が付加された第１のトラックと、新たに生成され、著作権情報が付加されていない第２のトラックとが含まれるようにすることができ、生成手段には、第２のトラックに著作権情報を付加して、楽音データを生成させるようにすることができる。
【手続補正６】
【補正対象書類名】明細書
【補正対象項目名】００１６
【補正方法】変更
【補正の内容】
【００１６】
本発明の第２の情報処理方法は、内部に有するメモリに記憶された複数のトラックについて、著作権情報が付加された複数のトラックから構成される楽音データを生成する生成ステップと、楽音データをトラックごとに配信することが可能であり、かつ、楽音データの登録および配信を、予め認証された所定の利用者しか行うことができないように制御された他の情報処理装置に対して楽音データを登録するために必要な情報の設定を制御する情報設定制御ステップと、生成ステップの処理により生成された楽音データおよび情報設定制御ステップの処理により設定された情報の、ネットワークを介した他の情報処理装置への送信を制御する送信制御ステップとを含むことを特徴とする。
【手続補正７】
【補正対象書類名】明細書
【補正対象項目名】００１７
【補正方法】変更
【補正の内容】
【００１７】
本発明の第２の記録媒体に記録されているプログラムは、内部に有するメモリに記憶された複数のトラックについて、著作権情報が付加された複数のトラックから構成される楽音データを生成する生成ステップと、楽音データをトラックごとに配信することが可能であり、かつ、楽音データの登録および配信を、予め認証された所定の利用者しか行うことができないように制御された他の情報処理装置に対して楽音データを登録するために必要な情報の設定を制御する情報設定制御ステップと、生成ステップの処理によりに生成された楽音データおよび情報設定制御ステップの処理により設定された情報の、ネットワークを介した他の情報処理装置への送信を制御する送信制御ステップとを含む処理をコンピュータに実行させることを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】変更
【補正の内容】
【００２７】
本発明の第１の情報処理装置、情報処理方法、および記録媒体に記録されているプログラムにおいては、内部に有するメモリに記憶された複数のトラックについて、著作権情報が付加された複数のトラックから構成される楽音データが生成され、楽音データをトラックごとに配信することが可能な他の情報処理装置に楽音データを登録するために必要な情報が設定され、生成された楽音データおよび設定された情報が、ネットワークを介して他の情報処理装置へ送信される。
【手続補正１８】
【補正対象書類名】明細書
【補正対象項目名】００２８
【補正方法】変更
【補正の内容】
【００２８】
本発明の第２の情報処理装置、情報処理方法、および記録媒体に記録されているプログラムにおいては、内部に有するメモリに記憶された複数のトラックについて、著作権情報が付加された複数のトラックから構成される楽音データが生成され、楽音データをトラックごとに配信することが可能であり、かつ、楽音データの登録および配信を、予め認証された所定の利用者しか行うことができないように制御された他の情報処理装置に楽音データを登録するために必要な情報が設定され、生成された楽音データおよび設定された情報が、ネットワークを介して他の情報処理装置へ送信される。
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】０１６２
【補正方法】変更
【補正の内容】
【０１６２】
【発明の効果】
本発明の第１の情報処理装置、情報処理方法、および記録媒体に記録されているプログラムによれば、著作権情報が付加された複数のトラックから構成される楽音データを生成し、楽音データをトラックごとに配信することが可能な他の情報処理装置に楽音データを登録するために、必要な情報を設定し、生成された楽音データおよび設定された情報を、ネットワークを介して他の情報処理装置へ送信するようにしたので、複数のトラックからなる楽音データを、トラックごとに著作権情報が付加された状態で生成することができ、その楽音データは、トラックごとに配信されることが可能となる。
【手続補正２２】
【補正対象書類名】明細書
【補正対象項目名】０１６３
【補正方法】変更
【補正の内容】
【０１６３】
本発明の第２の情報処理装置、情報処理方法、および記録媒体に記録されているプログラムによれば、内部に有するメモリに記憶された複数のトラックについて、著作権情報が付加された複数のトラックから構成される楽音データを生成し、楽音データをトラックごとに配信することが可能であり、かつ、楽音データの登録および配信を、予め認証された所定の利用者しか行うことができないように制御された他の情報処理装置に楽音データを登録するために、必要な情報を設定し、楽音データおよび設定された情報を、ネットワークを介して他の情報処理装置へ送信するようにしたので、複数のトラックからなる楽音データを、トラックごとに著作権情報が付加された状態で生成することができ、その楽音データは、トラックごとに配信されることが可能となる。
【手続補正２３】
【補正対象書類名】明細書
【補正対象項目名】０１６４
【補正方法】削除
【補正の内容】
【手続補正２４】
【補正対象書類名】明細書
【補正対象項目名】０１６５
【補正方法】削除
【補正の内容】